(57)【要約】  可搬式収納容器は、前側及び後側開口型である。収納容器の一方の側面が、第１プレートの第１縁部が第２プレートの第３縁部から離れることができるように開いたとき、第１プレートの第１収納凹部が現れ、その中に収納されている付箋又はメモ用紙の積層体を分配することができる。同様に、収納容器の他方の側面が、第１プレートの第２縁部が第２プレートの第４縁部から離れることができるように開いたとき、第２プレートの第２収納凹部が現れる。第１収納凹部及び第２収納凹部それぞれに異なる種類の積み重ねられたシートが収納されている場合、異なる種類のシートを運ぶことができる。
2010523429.tif 000002
【特許請求の範囲】
【請求項１】
第１収納凹部を有する第１プレートであって、互いに反対方向を向く第１及び第２縁部を有する第１プレートと、
第２収納凹部を有する第２プレートであって、前記第１プレートの前記第１縁部に対面する第３縁部と前記第１プレートの前記第２縁部に対面する第４縁部とを有する第２プレートと、
前記第１プレート及び前記第２プレートを連結するための連結部材であって、前記第１プレートと前記第２プレートとの間に配置される第１連結部材、第２連結部材及び第３連結部材と、
を備え、
前記第１連結部材及び前記第２連結部材が、前記第１プレートの前記第１縁部と前記第２プレートの前記第４縁部との間に架橋され、前記第３連結部材が、前記第１連結部材と前記第２連結部材との間に配置されると共に、前記第１プレートの前記第２縁部と前記第２プレートの前記第３縁部との間に架橋される、可搬式収納容器。
【請求項２】
前記第１及び前記第２プレートが実質的に同様の形状である、請求項１に記載の可搬式収納容器。
【請求項３】
前記第３連結部材が、前記第１及び前記第２収納凹部から張り出すように延び、前記第１及び前記第２連結部材が、前記第３連結部材の両側に配置され、前記第１及び前記第２プレートから突出することなく延びている、請求項１に記載の可搬式収納容器。
【請求項４】
前記第１及び前記第２プレートが実質的に矩形であり、前記第１、前記第２及び前記第３連結部材を有する連結シートは、第１半シート部と第２半シート部とを備えており、前記連結シートが広げられた形体において、
前記第１半シート部は、
矩形の前記第３連結部材と、
互いに平行であり対向する前記第３連結部材の第１及び第２周辺部に沿って伸長する第１及び第２貼付部分と、
前記第１及び前記第２貼付部分を連結する第３貼付部分であって、前記第１周辺部と前記第２周辺部との間にある第３周辺部に沿って配置される第３貼付部分と、を有し、
前記第２半シート部は、
前記第１周辺部と前記第２周辺部との間にある第４周辺部に沿って配置される第４貼付部分と、
前記第１及び前記第２貼付部分と同じ方向に配置される前記第１及び第２連結部材であって、前記第１及び第２連結部材の一方の端部において前記第１及び第２貼付部分の端部に取り付られる前記第１及び第２連結部材と、
前記第１及び第２連結部材の他方の端部に取り付られる第５及び第６貼付部分と、を有し、
前記第３連結部材と前記第１貼付部分との間と、前記第３連結部材と前記第２貼付部分との間と、前記第１連結部材と前記第４貼付部分との間と、前記第２連結部材と前記第４貼付部分との間とに、スリットが形成される、請求項１に記載の可搬式収納容器。
【請求項５】
前記第１及び前記第２収納凹部が、形状において実質的に矩形である、請求項１に記載の可搬式収納容器。
【請求項６】
前記第２プレートが、結合手段により前記第１プレートに取り外し可能に結合される、請求項１に記載の可搬式収納容器。
【請求項７】
少なくとも１つのシート積層体が、前記第１収納凹部及び／又は前記第２収納凹部内に収納される、請求項１に記載の可搬式収納容器。
【請求項８】
前記シート積層体が、前記第３連結部材の前面及び／又は裏面上に固定される、請求項１に記載の可搬式収納容器。
【請求項９】
各シートが、各シートの裏面に塗布された粘着剤を有する、請求項７に記載の可搬式収納容器。
【請求項１０】
各シートが、各シートの裏面に塗布された粘着剤を有する、請求項８に記載の可搬式収納容器。
【発明の詳細な説明】
【技術分野】
【０００１】
本発明は、可搬式収納容器に関する。より具体的には、本発明は、シート積層体を運ぶのに有用である、可搬式収納容器に関する。
【背景技術】
【０００２】
ある小紙片のための収納容器が、特開平１１−２０３６１号（JP1120261A）に開示されている。この公報に開示されている収納容器は、使用のためにバインダーのリングに取り外し可能に取り付けられている固定器具を備える。一体金型により合成樹脂から製造される固定器具では、両方ともシート本体から突出している外側フレーム及び内側フレームが形成され、シート本体は、３段の収納区画を構築するように、協働して、外側フレーム及び内側フレームにより、区分される。小型の付箋の積層体が、上端から最初の段に収納され、中型の付箋は２番目の段に収納され、大型のタブの積層体が３番目の段に収納される。粘着剤が更に、付箋の裏面に塗布される。収納容器により、容易に区別できる方法でその種類に応じて付箋を収納することが可能になり、加えて、残量を一目で識別することが可能になる。
【発明の概要】
【発明が解決しようとする課題】
【０００３】
しかしながら、特開平１１−２０２６１号の収納容器は、ふたを装備しておらず、そのため付箋が、それらが取り出される開放部に露出している。それ故、収納容器を用いる場合、付箋が不注意に汚れる、汚れ粒子を集める、容器を運んでいる間に損傷を受ける及び／又はしわになる場合があるという問題がある。また、メモ用紙を収納容器に収納する場合、同様の事故が起こる可能性があるという問題がある。
【０００４】
前側カバーシートと裏側カバーシートとの間に付箋を挟むように配置されている付箋ホルダが市販されている。この付箋ホルダは、ポケットブックに入れて持ち運ぶことが可能である。ホルダ内の付箋は、裏側カバーシートの内側に貼付され、それ故前側カバーシートと裏側カバーシートの両方により保護される。
【課題を解決するための手段】
【０００５】
本発明は、付箋又はメモ用紙の積層体を運ぶ優れた可搬性を有する収納容器を提供する。
【０００６】
本発明により、（１）第１収納凹部を有する第１プレートであって、互いに反対方向を向く第１及び第２縁部を有する第１プレートと、（２）第２収納凹部を有する第２プレートであって、第１プレートの第１縁部に対面する第３縁部と第１プレートの第２縁部に対面する第４縁部とを有する第２プレートと、（３）第１プレート及び第２プレートを連結するための連結部材であって、第１プレートと第２プレートとの間に配置される第１連結部材、第２連結部材及び第３連結部材と、を備え、第１連結部材及び第２連結部材が、第１プレートの第１縁部と第２プレートの第４縁部との間に架橋され、第３連結部材が、第１連結部材と第２連結部材との間に配置されると共に、第１プレートの第２縁部と第２プレートの第３縁部との間に架橋される、可搬式収納容器が提供される。
【０００７】
可搬式収納容器は、前側及び後側開口型であることができる。収納容器の片側が、第１プレートの第１縁部を第２プレートの第３縁部から離れることができるように開いたとき、第１プレートの第１収納凹部が現れ、その中に収納されている付箋又はメモ用紙の積層体を分配することができる。同様に、収納容器の反対側が、第１プレートの第２縁部を第２プレートの第４縁部から離れることができるように開いたとき、第２プレートの第２収納凹部が現れ、その中に収納されている付箋又はメモ用紙の積層体を分配することができる。したがって、第１収納凹部及び第２収納凹部それぞれに、異なる種類の積み重ねられたシートが収納されている場合、異なる種類のシートを運ぶことができる。更に、付箋が不注意に汚れる、汚れ粒子を集める、運んでいる間にしわになる及び／又は損傷を受ける等の事故は起こらない。更に、前側及び後側開口型の収納容器は、単純な構造で実現することができ、また容易に小型で軽量にすることができる。
【０００８】
第１及び第２プレートは、実質的に同一の形状であることができる。これにより、ユーザは、可搬式収納容器を容易に持つことが可能になる。
【０００９】
第３連結部材は、第１及び第２収納凹部に張り出しているように延びるように存在することができる。第３連結部材の両側に配置された第１及び第２連結部材は、それらが第１及び第２収納凹部から張り出さないように、第１及び第２プレートから突出することなく延びることができる。この構成は、第１及び第２収納凹部の十分な開口領域を確保するが、第１及び第２連結部材により塞がれない。
【００１０】
第１及び第２プレートは、形状において矩形であることができる。第１、第２及び第３連結部材を有する連結シートは、第１半シート部と第２半シート部とを備えており、連結シートが広げられた形体において、第１半シート部は、矩形の前記第３連結部材と、互いに平行であり対向する第３連結部材の第１及び第２周辺部に沿って伸長する第１及び第２貼付部分と、第１及び第２貼付部分を連結する第３貼付部分であって、第１周辺部と第２周辺部との間にある第３周辺部に沿って配置される第３貼付部分と、を有し、第２半シート部は、第１周辺部と第２周辺部との間にある第４周辺部に沿って配置される第４貼付部分と、第１及び第２貼付部分と同じ方向に配置される第１及び第２連結部材であって、第１及び第２連結部材の一方の端部において第１及び第２貼付部分の端部に取り付られる第１及び第２連結部材と、第１及び第２連結部材の他方の端部に取り付られる第５及び第６貼付部分と、を有し、第３連結部材と第１貼付部分との間と、第３連結部材と第２貼付部分との間と、第１連結部材と第４貼付部分との間と、第２連結部材と第４貼付部分との間とに、スリットが形成される。用いられる連結シートはこのような形体を有するため、部品の数を減らすことができ、よって能率化された、費用効率の高い、製造プロセスをもたらすことができる。
【００１１】
第１及び第２収納凹部は、形状において矩形であることができる。矩形の付箋又はメモ用紙に適応した収納凹部を実現することができる。
【００１２】
第２プレートは、結合手段により第１プレートに取り外し可能に結合させることができる。第１及び第２プレートは、運んでいる間にそれらの間に不注意にすき間が開かないように、配置することができる。結合手段としては、マグネット、フック・ループ式ファスナー、繰り返し付着及び剥離することができる再利用可能又は再配置可能な粘着剤、バンド、凹凸取付部品に依存する手段等が挙げられるが、これらに限定されない。結合手段を適用して、輸送中第１及び第２プレート２、３を閉じた形体に固定することができる。
【００１３】
シート積層体としては、第１及び第２収納凹部内に収納することができる紙が挙げられるが、これに限定されない。
【００１４】
シート積層体はまた、第３連結部材の前面及び／又は裏面に固定することもできる。各積層体は、収納凹部内の他の積層体から離間し、かつ収納容器内に保管することができる。それ故、異なる種類の積み重ねられたシートを用いることができる。
【００１５】
積層体の各シートは、各シートの裏面に塗布された粘着剤を有してよい。シートは、全ての粘着剤が一方の端部で整列するように、積み重ねられてよい。それに代わる実施形態では、粘着剤が反対側にある積層体端部に交互に重なるようにシートが積み重ねられて、扇折り（fan-fold）又は「ｚ状積み重ね（z-stacked）」形体を形成する。本明細書では、全ての寸法の数値が「約」という用語で修飾されると見なされる。
【図面の簡単な説明】
【００１６】
本発明は、図面を参照してより良く説明することができる。
【図１】本発明の第１の実施形態による可搬式収納容器の斜視図。
【図２】第１の側から開かれているときの形体を示す、図１の可搬式収納容器の斜視図。
【図３】第２の側から開かれているときの形体を示す、図１の可搬式収納容器の斜視図。
【図４】図１に示す実施形態の１つの構成要素を含む連結シートの平面図。
【図５】図１に示す実施形態の１つの構成要素を含む連結シートの斜視図。
【図６】図５の連結シート、第１フレーム及び第２フレームを含む、開閉可能なプレート組立品を示す斜視図。
【図７】図６に関連して、連結シートの貼付部分が折り重ねられた形体を示す斜視図。
【図８】図６及び図７に関連して、開閉可能なプレート組立品の連結シートの第１及び第２連結部材が折り重ねられた形体を示す斜視図。
【図９】図６〜図８に関連して、開閉可能なプレート組立品が固定されている形体を示す斜視図。
【図１０】図１に示す実施形態による収納容器の分解斜視図。
【図１１】上記図に示したものとは異なる収納容器に固定されているシート積層体を備える収納容器の斜視図。
【図１２】本発明の第２の実施形態による、可搬式収納容器の斜視図。
【図１３】一方の側から開かれているときの形体を示す、図１２の収納容器の斜視図。
【図１４】他の側から開かれているときの形体を示す、図１２の収納容器の斜視図。
【図１５】第２の実施形態による収納容器の分解斜視図。
【図１６】本発明の第３の実施形態による可搬式収納容器の分解斜視図。
【図１７】図１６の収納容器の斜視図。
【図１８】一方の側から開かれているときの形体を示す、図１６の収納容器の斜視図。
【図１９】他の側から開かれているときの形体を示す、図１６の収納容器の斜視図。
【図２０】本発明の第４の実施形態による可搬式収納容器の分解斜視図。
【図２１】図２０の収納容器の斜視図。
【図２２】一方の側から開かれているときの形体を示す、図２０の収納容器の斜視図。
【図２３】他の側から開かれているときの形体を示す、図２０の収納容器の斜視図。
【００１７】
上記で示した図面は、本発明のいくつかの実施形態を説明するが、本明細書に記述されているように、他の実施形態も考えられる。いかなる場合も、本開示は、本発明を代表して提示するものであって、限定するものではない。本発明の原理の範囲及び趣旨に含まれる多数の他の修正及び実施形態が、当業者によって考案され得る。図は理想化されており、一定の縮尺で描かれておらず、単に説明の目的だけを意図する。類似の参照番号は、種々の実施形態の類似の要素を表す。
【発明を実施するための形態】
【００１８】
本発明による可搬式収納容器の代表的な実施形態は、以下図面を参照して詳細に説明する。
【００１９】
本発明による可搬式収納容器の第１の実施形態を図１〜１１に示す。図１〜３に示すように、前側及び後側開口型の可搬式収納容器１は、第１及び第２プレート２、３を有する。１つの実施形態では、両方のプレートは、合成樹脂又は硬紙等であるがこれらに限定されない厚さ２ｍｍの基材から製造できる。第１及び第２プレート２、３の形状は、実質的に矩形である。第１及び第２プレート２、３の寸法は、１０ｃｍ×７ｃｍであることができるが、これに限定されない。第１プレート２は、第１収納凹部４を含む。第２プレート３は、第２収納凹部５を含む。第１及び第２収納凹部４、５は、実質的に同様の形状を有し、それぞれは、これに限定されないが例えば８ｃｍ×５．５ｃｍの実質的に矩形の開口部である。第１及び第２プレート２、３に関しては、それらが容器に適切な強度を与える限り、第１及び第２収納凹部の周囲表面の幅は特に限定されない。周囲表面の幅は、５〜１５ｍｍの範囲であってよい。
【００２０】
第１プレート２は、線状長辺で互いに反対方向を向く第１縁部２ａ及び第２縁部２ｂ、並びに線状短辺で互いに反対方向を向く第３縁部２ｃ及び第４縁部２ｄを含む。同様に、第２プレート３は、線状短辺で互いに反対方向を向く第１縁部３ａ及び第２縁部３ｂ、並びに線状長辺で互いに反対方向を向く第３縁部３ｃ及び第４縁部３ｄを含む。第１プレート２の第１収納凹部４が、第２プレート３の第２収納凹部５に対面するとき、第１プレート２の第１縁部２ａは第２プレート３の第３縁部３ｃに実質的に対面して位置し、第１プレート２の第２縁部２ｂは第２プレート３の第４縁部３ｄに実質的に対面して位置する。
【００２１】
この実施形態では、第１及び第２プレート２、３は、第１連結部材６、第２連結部材７及び第３連結部材８により連結される。第１、第２及び第３連結部材６、７、８は、第１プレート２と第２プレート３との間に配置される。第１連結部材６は、厚さ０．１ｍｍの基材で製造されており、幅１ｃｍ及び長さ７ｃｍのバンドを形成する。第１連結部材６の第１端部は、第１プレート２の第３縁部２ｃに隣接して配置され、第１プレート２の第１縁部２ａに固定される。第１連結部材６の第２端部は、第２プレート３の第４縁部３ｄに固定される。したがって、第１連結部材６は、第１プレート２の第１縁部２ａと第２プレート３の第４縁部３ｄとの間を架橋する。
【００２２】
同様に、第２連結部材７は、これに限定されないが例えば厚さ０．１ｍｍの基材で製造されており、幅１ｃｍ及び長さ７ｃｍのバンドを形成する。第２連結部材７の第１端部は、第１プレート２の第４縁部２ｄに隣接して配置され、第１プレート２の第１縁部２ａに固定される。第２連結部材７の第２端部は、第２プレート３の第４縁部３ｄに固定される。したがって、第２連結部材７は、第１プレート２の第１縁部２ａと第２プレート３の第４縁部３ｄとの間を架橋する。
【００２３】
第３連結部材８は、厚さ０．１ｍｍの基材で製造されており、幅８ｃｍ及び長さ７ｃｍのバンドを形成する。第３連結部材８は、第１連結部材６と第２連結部材７との間に配置される。第３連結部材８の一方の端部は、第１プレート２の第２縁部２ｂに固定され、第３連結部材８の他方の端部は第２プレート３の第３縁部３ｃに固定される。したがって、第３連結部材８は、第１プレート２の第２縁部２ｂと第２プレート３の第３縁部３ｃとの間を架橋する。第１、第２及び第３連結部材６〜８の基材としては、合成樹脂又は紙が挙げられるが、これらに限定されない。
【００２４】
６つのシート積層体９ａ〜９ｆが、第１収納凹部４内に収納されている。必要に応じて、各積層体は異なる色のものであることができる。粘着剤が裏面に塗布された複数のシートＳ１は、共に積み重ねられて、各積層体９ａ〜９ｆを形成する。２つの積層体１０ａ、１０ｂが、第２収納凹部５内に収納されている。必要に応じて、積層体１０ａ及び１０ｂは異なる色のものであることができる。粘着剤が裏面に塗布された付箋のような複数のシートＳ２は、共に積み重ねられて、各積層体１０ａ、１０ｂを形成する。シートＳ１又はＳ２は、紙又は高分子フィルムで製造することができる。好適なシートとしては、３Ｍ社（3M Company）（ミネソタ州セントポール（St. Paul））から市販されている、ポストイット（Post-it）（登録商標）フラッグ又はポストイット（登録商標）ノート（再配置可能なメモ）が挙げられる。
【００２５】
構築された収納容器１は、前側及び後側開口型のものであり、異なる種類の積層体９ａ〜９ｆ、１０ａ及び１０ｂを運ぶことができる。図２に示すように、第１プレート２の第１縁部２ａ及び第２プレート３の第３縁部３ｃが互いから離れるように収納容器１が開くとき、第１プレート２の第１収納凹部４及び凹部４に収納されている積層体９ａ〜９ｆが現れる。図３に示すように、第１プレート２の第２縁部２ｂ及び第２プレート３の第４縁部３ｄが互いから離れるように収納容器１が開くとき、第２プレート３の第１収納凹部５及び凹部５に収納されている積層体１０ａ及び１０ｂが現れる。更に、容器は自由に開閉可能であるため、付箋（Ｓ１、Ｓ２）が不注意にしわになる又は損傷を受ける事故は起こらない。更に、前側及び後側開口型の容器１は、単純な構造で実現することができ、容易に小型で軽量にすることができる。
【００２６】
第３連結部材８は、第１及び第２収納凹部４、５から張り出すように延びる。第３連結部材８で終端となる第１連結部材６の幅は、第１プレート２の短辺で第３縁部２ｃに沿って伸長するフレーム表面１２の幅、並びに第２プレート３の短辺で第１縁部３ａに沿って伸長するフレーム表面１３の幅と、実質的に等しい。したがって、第１連結部材６は、第１及び第２収納凹部４、５から張り出さないように、第１及び第２プレート２、３から突出することなく延びているように存在することができる。
【００２７】
第３連結部材８で終端となる第２連結部材７の幅は、第１プレート２の短辺で第４縁部２ｄに沿って伸長するフレーム表面１４の幅、並びに第２プレート３の短辺で第２縁部３ｂに沿って伸長するフレーム表面１５の幅と、実質的に等しい。したがって、第２連結部材７は、第１及び第２収納凹部４、５から張り出さないように、第１及び第２プレート２、３から突出することなく延びているように存在することができる。結果として、第１及び第２収納凹部４、５は、第１及び第２連結部６、７に塞がれることのない、積層体を収納するための開口部領域を有することになる。第１及び第２連結部６、７は、シート又は付箋Ｓ１、Ｓ２が分配されるのを妨げない。第３連結部材８はまた、反対側の積層体に対する目隠しとしても機能する。
【００２８】
フック・ループ式ファスナーを第１及び第２プレート２、３に適用して、輸送中それらを共に固定することができる。図２に示すように、先端にループ部を有するテープＦ１が、第１プレート２の端部に取り付けられ、フック部は第２プレート３の側面上に設けられる。図３に示すように、先端にループ部を有するテープＦ２が、第２プレート３の端部に取り付けられ、フック部は第１プレート２の側面上に設けられる。
【００２９】
マグネットを用いるとき、マグネットは第１プレート２の第１縁部２ａの側面上に定置され、磁気材料で製造された金属板が第２プレート３の第３縁部３ｃの側面上に定置される。あるいは、マグネットが第１プレート２の第２縁部２ｂの側面上に定置され、磁気材料で製造された金属板が第２プレート３の第４縁部３ｄの側面上に定置される。更に、第１及び第２プレート２、３が互いに密接に接触している構成では、収納容器１は、第１及び第２プレート２、３が開かないように、ゴム、布又は合成樹脂のような弾性材料で製造されたストラップバンドを用いて締結することができる。この場合、バンドの一部が、粘着剤の助けを借りて第１プレート２又は第２プレート３に一時的に取り付けられてもよい。
【００３０】
収納容器１を製作するための１つの手順を説明する。
【００３１】
図４を参照すると、これらに限定されないが合成樹脂又は高い引っ張り強度を有する紙等の基材で製造された厚さ０．１ｍｍの連結シート２０が調製される。この連結シート２０は、１枚のシートから切り出すことにより形成される。連結シート２０は広げられた形体において、境界Ｌにより画定される、第１半シート部２１と第２半シート部２２からなる。第１半シート部２１は、実質的に矩形である第３連結部材８と、各バンド形状が、平行であり互いに反対方向を向く第３連結部材８の第１周辺部８ａ及び第２周辺部８ｂに沿って配置される、第１貼付部分２３及び第２貼付部分２４と、第１貼付部分２３及び第２貼付部分２４を連結するバンド形状の第３貼付部分２５であって、第１周辺部８ａと第２周辺部８ｂとの間にある第３周辺部８ｃに沿って配置される第３貼付部分２５と、を含む。
【００３２】
第２半シート部２２は、第１周辺部８ａと第２周辺部８ｂとの間にある第４周辺部８ｄに沿って配置されるバンド形状の第４貼付部分２６と、第１及び第２貼付部分２３、２４と同じ方向に配置される、それぞれがバンド形状の第１連結部材６及び第２連結部材７と、を含む。連結部材６、７は、第１及び第２貼付部分２３、２４のそれぞれの一方の端部に取り付けられる。第５貼付部分２７及び第６貼付部分２８は、第１及び第２連結部材６、７の他方の端部に取り付けられる。線状スリットＣ１は、第３連結部材８の第１周辺部８ａと第１貼付部分２３との間と、第１連結部材６と第４貼付部分２６の一方の端部との間とに存在する。線状スリットＣ２は、第３連結部材８の第２周辺部８ｂと第２貼付部分２４との間と、第２連結部材７と第４貼付部分２６の他方の端部との間とに存在する。図５に示すように、この連結シート２０は、破線Ａ１〜Ａ６により外向きに又は内向きに折り畳まれる。
【００３３】
開閉可能なプレート組立品３０を製作するための１つの手順を次に記載する。
【００３４】
図６に示すように、開閉可能なプレート組立品３０は、第１開口部３１ａを有する実質的に矩形の第１フレーム３１、第２開口部３２ａを有する実質的に矩形の第２フレーム３２、及び連結シート２０を備える。連結シート２０の第４貼付部分２６は、第１フレーム３１の裏面３１ｂ上に貼付され、連結シート２０の第３貼付部分２５は、第２フレーム３２の裏面３２ｂ上に貼付される。図７に示すように、第１及び第２貼付部分２３、２４は、連結シート２０の破線Ａ１で折り返され、第１及び第２貼付部分２３、２４は、第２フレーム３２に貼付される。図８に示すように、第１及び第２連結部材６、７は、連結シート２０の破線Ａ３、Ａ４で折り返される。図９に示すように、第５及び第６貼付部分２７、２８は、第１フレーム３１と第２フレーム３２との間のギャップＢに挿入され、第５及び第６貼付部分２７、２８は、第１フレーム３１の裏面３１ｂ上に貼付される。この手順により、開閉可能なプレート組立品３０が完成する。
【００３５】
図１０を参照すると、開口部３３ａを有する高さ調節フレーム３３及び開口部３４ａを有する高さ調節フレーム３４が作られ、これらは第１及び第２フレーム３１、３２、積層体１０ａ、１０ｂが接着された第１ベースプレート３５、及び積層体９ａ〜９ｆが接着された第２ベースプレート３６と同じ形状を有する。第１高さ調節フレーム３３は第１フレーム３１に貼付され、第２高さ調節フレーム３４は第２フレーム３２に貼付される。結果として、第１ベースプレート３５は第１高さ調節フレーム３３に貼付され、第２ベースプレート３６は第２高さ調節フレーム３４に貼付される。このように、図１〜３に示す可搬式収納容器１が完成する。
【００３６】
高さ調節フレーム３３及び第１ベースプレート３５は、これらに限定されないが１枚の樹脂、紙又は金属から形成することができ、またこれらを使用することもできる。同様に、高さ調節フレーム３４及び第２ベースプレート３６は、これらに限定されないが１枚の樹脂、紙又は金属から形成することができ、またこれらを使用することもできる。
【００３７】
図１１に示した可搬式収納容器１を参照すると、例えばメモ用紙Ｓ３のようなシートの積層体３８が、第２プレート３の第２収納凹部５内に収納されている。この積層体３８は、第２収納凹部５の底面に接着及び固定されており、穿孔３８ａが積層体に形成されて、メモ用紙Ｓ３の引き剥がしを容易にする。
【００３８】
本発明による可搬式収納容器の第２の実施形態を図１２〜１５に図示する。図１２〜１４は、第２の実施形態による可搬式収納容器４０を示す。第１連結部材６及び第２連結部材７が、収納容器４０に備えられており、第１プレート４２の第１縁部４２ａと第２プレート４３の第４縁部４３ｄとの間に架橋される。更に、第３連結部材８が、第１連結部材６と第２連結部材７との間に配置され、第１プレート４２の第２縁部４２ｂと第２プレート４３の第３縁部４３ｃとの間に架橋される。
【００３９】
６つのシート積層体９ａ〜９ｆが、第１収納凹部４４内に収納されている。必要に応じて、各積層体は異なる色のものであることができる。粘着剤が裏面に塗布された複数のシートＳ１は、共に積み重ねられて、各積層体９ａ〜９ｆを形成する。２つの積層体１０ａ、１０ｂが、第２収納凹部４５内に収納されている。必要に応じて、積層体１０ａ及び１０ｂは異なる色のものであることができる。粘着剤が裏面に塗布された付箋のような複数のシートＳ２は、共に積み重ねられて、各積層体１０ａ、１０ｂを形成する。シートＳ１又はＳ２は、紙又は高分子フィルムで製造することができる。好適なシートとしては、３Ｍ社（3M Company）から市販されている、ポストイット（Post-it）（登録商標）フラッグ又はポストイット（登録商標）ノート（再配置可能なメモ）が挙げられる。
【００４０】
積層体４６ａ及び４６ｂは、粘着剤の助けを借りて第３連結部材８の１つの表面上に固定される。粘着剤が裏面に塗布されたシートＳ４（例えば、付箋等）は、共に積み重ねられて、各積層体４６ａ、４６ｂを形成する。４つの積層体４７ａ〜４７ｄは、粘着剤の助けを借りて第３連結部材８の他の表面上に固定される。必要に応じて、各積層体は異なる色のものであることができる。粘着剤が裏面に塗布されたシートＳ５（例えば、付箋等）は、共に積み重ねられて、各積層体４７ａ〜４７ｄを形成する。好適なシートとしては、３Ｍ社（3M Company）から市販されている、ポストイット（Post-it）（登録商標）フラッグ又はポストイット（登録商標）ノート（再配置可能なメモ）が挙げられる。
【００４１】
図１５に示すように、積層体４６ａ、４６ｂ及び４７ａ〜４７ｄが第３連結部材８に固定されている開閉可能なプレート組立品３０の第１フレーム３１と第１ベースプレート３５との間に、高さ調節フレーム４８の３つのシートが挿入される。高さ調節フレーム４９の３つのシートは、開閉可能なプレート組立品３０の第２フレーム３２と第２ベースプレート３６との間に挿入される。この配置により、積層体４６ａ、４６ｂ及び４７ａ〜４７ｄを収納するように、第１及び第２収納凹部４４、４５の容積を増大させることができる。
【００４２】
高さ調節フレーム４８及び第１ベースプレート３５は、１枚の樹脂、紙又は金属から形成することができ、またこれらを使用することもできる。同様に、高さ調節フレーム４９及び第２ベースプレート３６は、１枚の樹脂、紙又は金属から形成することができ、またこれらを使用することもできる。
【００４３】
本発明による可搬式収納容器の第３の実施形態を図１６〜１９に図示する。図１６に示すように、第３の実施形態による可搬式収納容器５０の開閉可能なプレート組立品６０は、開口部６０ａを有する矩形の第１フレーム６１、開口部６２ａを有する矩形の第２フレーム６２、矩形平面を形成する第１連結シート６３、及び矩形フレームを形成する第２連結シート６４を含む。第１貼付部分６３ａ及び第２貼付部分６３ｂは、第１連結シート６３の両端に設けられる。第２連結シート６４は、互いに平行である第１及び第２連結部材６、７、並びに、互いに平行であり、第１連結部材６と第２連結部材７との間に架橋される、第３貼付部分６４ａ及び第４貼付部分６４ｂを備える。
【００４４】
第１連結シート６３の第１貼付部分６３ａは、粘着剤の助けを借りて、その長辺縁部６１ｂで第１フレーム６１の裏面上に固定されている。第１連結シート６３の第２貼付部分６３ｂは、粘着剤の助けを借りて、長辺縁部６２ｂで第２フレーム６２の裏面上に固定されている。第２連結シート６４の第３貼付部分６４ａは、粘着剤の助けを借りて、長辺縁部６１ｃで第１フレーム６１の裏面上に固定されている。第２連結シート６４の第４貼付部分６４ｂは、粘着剤の助けを借りて、長辺縁部６２ｃで第２フレーム６２の裏面上に固定されている。
【００４５】
高さ調節フレーム３３の１つのシートは、開閉可能なプレート組立品６０の第１フレーム６１と第１ベースプレート３５との間に挿入され、高さ調節フレーム３４の１つのシートは、開閉可能なプレート組立品６０の第２フレーム６２と第２ベースプレート３６との間に挿入される。このように、図１７〜１９に示す可搬式収納容器５０の製作が完成する。
【００４６】
本発明による可搬式収納容器の第４の実施形態を図２０〜２３に示す。図２０〜２３は、第４の実施形態による可搬式収納容器７０を示す。積層体７６ａ及び７６ｂは、粘着剤の助けを借りて、第３連結部材８の一方の表面上に固定される。必要に応じて、各積層体は異なる色のものであることができる。積層体７７ａ及び７７ｂは、粘着剤の助けを借りて、第３連結部材８の他の表面上に固定される。好適なシートとしては、３Ｍ社（3M Company）から市販されている、ポストイット（Post-it）（登録商標）フラッグ又はポストイット（登録商標）ノート（再配置可能なメモ）が挙げられる。
【００４７】
高さ調節フレーム７８の３つのシートは、開閉可能なプレート組立品６０の第１フレーム６１と第１ベースプレート３５との間に挿入され、高さ調節フレーム７９の３つのシートは、開閉可能なプレート組立品６０の第２フレーム６２と第２ベースプレート３６との間に挿入される。この配置により、第３連結部材８に固定されている積層体７６ａ、７６ｂ、７７ａ及び７７ｂを収納するように、第１及び第２収納凹部８１、８２の容積を増大させることができる。
【００４８】
収納容器１、４０、５０及び７０は、上述の種々の実施形態に限定されず、小型ノートサイズ、Ｂ５サイズ又はＡ４サイズのような、使用に好適であり得る任意の可搬式サイズのものであってよい。
【図１】
2010523429.tif 000003
【図２】
2010523429.tif 000004
【図３】
2010523429.tif 000005
【図４】
2010523429.tif 000006
【図５】
2010523429.tif 000007
【図６】
2010523429.tif 000008
【図７】
2010523429.tif 000009
【図８】
2010523429.tif 000010
【図９】
2010523429.tif 000011
【図１０】
2010523429.tif 000012
【図１１】
2010523429.tif 000013
【図１２】
2010523429.tif 000014
【図１３】
2010523429.tif 000015
【図１４】
2010523429.tif 000016
【図１５】
2010523429.tif 000017
【図１６】
2010523429.tif 000018
【図１７】
2010523429.tif 000019
【図１８】
2010523429.tif 000020
【図１９】
2010523429.tif 000021
【図２０】
2010523429.tif 000022
【図２１】
2010523429.tif 000023
【図２２】
2010523429.tif 000024
【図２３】
2010523429.tif 000025
【国際調査報告】
2010523429.tif 000026
2010523429.tif 000027